(57)【特許請求の範囲】
【請求項１】
電圧を検出するプラグ端子および端子台に設けられた電流を検出する電流端子を有する電力量計測ユニットと、前記プラグ端子が挿着される計器ベースに設けられたコンセント端子と、前記電流端子が端子ねじにより接続される前記計器ベースに設けられたベース側固定端子とを備えた電力量計において、前記電流端子は前記端子ねじが挿通される貫通孔が形成され、前記端子台の前記電流端子の位置に凹形状部が形成され、前記端子台に形成された前記凹形状部にＸ方向、Ｙ方向、Ｚ方向に移動可能に遊嵌状態で嵌合されるように前記電流端子に凸形状部を形成したことを特徴とする電力量計。
【請求項２】
前記電流端子と前記ベース側固定端子とは当接され、前記電流端子の当接面が前記ベース側固定端子の当接面より大きく形成されていることを特徴とする請求項１記載の電力量計。
【請求項３】
前記ベース側固定端子と前記電流端子とは当接され、前記ベース側固定端子の当接面が前記電流端子の当接面より大きく形成されていることを特徴とする請求項１記載の電力量計。
【発明の詳細な説明】
【技術分野】
【０００１】
この発明は、電流と電圧を入力し、電力量を計測する電子式電力量計に関するものであり、特に電力量計における電力量計測ユニットの取り付け構造に関するものである。
【背景技術】
【０００２】
従来の電子式電力量計としては、例えば、特開２００６−２９２４４２号公報に示されたものがあり、電力量計測ユニットの電圧を計測する電極（プラグ端子）が計器ベースに設けられた電極挿入部（コンセント端子）に挿着されている。
【０００３】
また、電力量計測ユニットの電流を計測する電流端子は、計器ベースに固定されたベース側固定端子に端子ねじにより接合される。電流端子は、例えば、特開２００３−２８８９７号公報に示されるような構造が適用されている。すなわち、端子台の端子隔壁間に設けられた端子用凹部に電流端子が配置されるように構成される。
【０００４】
そして、電極（プラグ端子）および電流端子がそれぞれ接続された電力量計測ユニットは、計器ベースにユニット固定ねじにより固定される。
【先行技術文献】
【特許文献】
【０００５】
【特許文献１】特開２００６−２９２４４２号公報
【特許文献２】特開２００３−２８８９７号公報
【発明の概要】
【発明が解決しようとする課題】
【０００６】
上述した従来の電力量計においては、電力量計測ユニットの電流端子および計器ベースのベース側固定端子ともに固定された状態であり、この状態で端子ねじにより締付けて接合したとしても、必ずしも安定した接合状態を得ることができるとは限らない。すなわち、電流端子およびベース側固定端子の製作誤差等々により両者間において接触不良（接触抵抗が高いもの）が発生する可能性があるという課題があった。
【０００７】
この発明は上記のような課題を解決するためになされたものであり、簡単な構成で電流端子およびベース側固定端子の安定した接合状態を得ることができる電力量計を提供することを目的とする。
【課題を解決するための手段】
【０００８】
この発明に係わる電力量計は、前記電流端子は前記端子ねじが挿通される貫通孔が形成され、前記端子台の前記電流端子の位置に凹形状部が形成され、前記端子台に形成された前記凹形状部にＸ方向、Ｙ方向、Ｚ方向に移動可能に遊嵌状態で嵌合されるように前記電流端子に凸形状部を形成したものである。
【発明の効果】
【０００９】
この発明に係わる電力量計は、簡単な構成で電流端子およびベース側固定端子の安定した接合状態とすることができる電力量計を得ることができる。
【図面の簡単な説明】
【００１０】
【図１】この発明の実施の形態１に係わる電力量計を示す斜視図である。
【図２】この発明の実施の形態１に係わる電力量計を示す展開斜視図である。
【図３】この発明の実施の形態１に係わる電力量計における電力量計測ユニットを示す斜視図である。
【図４】この発明の実施の形態１に係わる電力量計における電力量計測ユニットを示す背面斜視図である。
【００１１】
【図５】この発明の実施の形態１に係わる電力量計を示す図３のＡ−Ａ線における断面図である。
【図６】この発明の実施の形態１に係わる電力量計を示す図３のＢ−Ｂ線における断面図である。
【００１２】
【図７】この発明の実施の形態２に係わる電力量計における電流端子およびベース側固定端子を示す拡大正面図である。
【図８】この発明の実施の形態２に係わる電力量計における電流端子およびベース側固定端子を示す拡大正面図である。
【図９】この発明の実施の形態２に係わる電力量計における電流端子およびベース側固定端子を示す拡大正面図である。
【図１０】この発明の実施の形態２に係わる電力量計における電流端子およびベース側固定端子を示す拡大正面図である。
【発明を実施するための形態】
【００１３】
実施の形態１.
以下、この発明の実施の形態１を図１ないし図６に基づいて説明する。図１はこの発明の実施の形態１に係わる電力量計を示す斜視図である。図２はこの発明の実施の形態１に係わる電力量計を示す展開斜視図である。図３はこの発明の実施の形態１に係わる電力量計における電力量計測ユニットを示す斜視図である。図４はこの発明の実施の形態１に係わる電力量計における電力量計測ユニットを示す背面斜視図である。図５はこの発明の実施の形態１に係わる電力量計を示す図３のＡ−Ａ線における断面図である。図６はこの発明の実施の形態１に係わる電力量計を示す図３のＢ−Ｂ線における断面図である。
【００１４】
これら各図において、１００は電子式の電力量計であり、当該実施例は三相三線式の場合を示している。１は電力量計１００の基台となる計器ベース、２はこの計器ベース１に設けられたユニット収納部１ａ（図２）にユニット保持台２ａが収納配置される電力量計測ユニットである。この電力量計測ユニット２は、電力量表示部３と、各相の電圧を計測するためのプラグ端子４（図４）と、各相の電流を計測するための電流端子５を有している。
【００１５】
電流端子５は端子台６に保持されるように構成されるが、詳細については後述する。電流端子５を計器ベース１に設けられたベース側固定端子７に接合させる端子ねじ８は端子ねじ挿入部９にワッシャ１０を介して挿入され、電流端子５の貫通孔５ａを貫通してベース側固定端子７の雌ねじ孔７ａ（図２、図７、図８）に螺入される。端子ねじ８を電流端子５の貫通孔５ａ（図５、図６）に貫通してベース側固定端子７の雌ねじ孔７ａに螺入して締付けることにより、電流端子５とベース側固定端子７とが接合される。
【００１６】
電力量計測ユニット２には、その電力量計測ユニット２を計器ベース１に設けられたユニット取付金具１１に固定するためのユニット取付部１２（図２）が設けられている。そのユニット取付部１２にユニット固定ねじ１３を挿着し、ユニット取付金具１１に螺着されて電力量計測ユニット２を計器ベース１に固定する。
【００１７】
電力量計測ユニット２を覆う透明な材料で形成された計器カバー１４は、計器ベース１のカバー取付金具１５に取り付けられる。計器カバー１４に設けたカバー取付部１６にカバー取付ねじ１７を挿着し、カバー取付金具１５に螺着されて計器カバー１４を計器ベース１に固定する。
【００１８】
計器ベース１には、電力量計測ユニット２のプラグ端子４が差し込まれて接続されるコンセント端子１８が設けられている。そして、ベース側固定端子７相互間には隔壁１９が設けられている。また、電源側負荷端子２０が配設された端子箱２１が取り付けられている。
【００１９】
ところで、電流端子５と端子台６との保持状態については、次のような構成となっている。すなわち、図３のＡ−Ａ線における断面図である図５に示すように、端子台６には凹形状部２２が形成され、電流端子５には端子台６に設けられた凹形状部２２に遊嵌状態で嵌合されるように凸形状部２３が形成されている。
【００２０】
図５に示すように、電流端子５の凸形状部２３は、端子台６の凹形状部２２内において、Ｚ１方向あるいはＺ２方向に遊嵌状態で移動可能であり、Ｘ１方向あるいはＸ２方向に遊嵌状態で移動可能である。
【００２１】
また、図３のＢ−Ｂ線における断面図である図６に示すように、電流端子５の凸形状部２３は、端子台６の凹形状部２２内において、Ｚ１方向あるいはＺ２方向に遊嵌状態で移動可能であり、Ｙ１方向あるいはＹ２方向に遊嵌状態で移動可能である。また、電流端子５の電力量計測ユニット２内部側の電流端子接続片２４は電力量計測ユニット２の内部導体２５に接続されており、この内部導体２５は例えば拠り線により構成された可撓性を有するものである。
【００２２】
以上のように構成された実施の形態１における電力量計においては、端子台６に設けられた凹形状部２２と、端子台６に設けられた凹形状部２２に遊嵌状態で嵌合されるように電流端子５に設けられた凸形状部２３とを設けたことにより、電流端子５は、Ｚ１方向あるいはＺ２方向、Ｘ１方向あるいはＸ２方向、Ｙ１方向あるいはＹ２方向に遊嵌状態で移動可能に構成されているので、電流端子５およびベース側固定端子７の製作誤差が生じたとしても、電流端子５をその貫通孔５ａがベース側固定端子７の雌ねじ孔７ａに合致する方向へ移動させることができ、その状態で端子ねじ８を電流端子５の貫通孔５ａに貫通してベース側固定端子７の雌ねじ孔７ａに螺入して締付けることにより、電流端子５とベース側固定端子７とを安定した状態で接合させることができ、信頼性の高い電力量計を得ることができる。なお、電流端子５はＹ１方向に嵌挿される。
【００２３】
また、電力量計測ユニット２にユニット保持台２ａを設けたことにより、その電力量計測ユニット２だけを組み立てあるいは保守などにより、計器ベース１外に置く場合、ユニット保持台２ａによって安定して置くことができ、転倒などによる損傷を未然に防止することができる。
【００２４】
さらに、電力量計測ユニット２にユニット保持台２ａを設け、計器ベース１にユニット収納部１ａを設けたことにより、電力量計測ユニット２のユニット保持台２ａを計器ベース１のユニット収納部１ａに収納することによって電力量計測ユニット２の位置決めを行なうことができ、組み立て性の向上を図ることができる。
【００２５】
実施の形態２.
この発明の実施の形態２を図７および図８に基づいて説明する。図７はこの発明の実施の形態２に係わる電力量計における電流端子およびベース側固定端子を示す拡大正面図である。図８はこの発明の実施の形態２に係わる電力量計における電流端子およびベース側固定端子を示す拡大正面図である。
【００２６】
電流端子５とベース側固定端子７とは当接されるが、一般的には電流端子５の当接面幅ａとベース側固定端子７の当接面幅ｂとは同じ幅に設定される。電流端子５の当接面幅ａとベース側固定端子７の当接面幅ｂとが同じ幅の場合、電流端子５の当接面幅ａに多少のバラツキがあったり、電流端子５が多少幅方向に移動した場合には、電流端子５とベース側固定端子７との当接面積が減少することになり、電流端子５とベース側固定端子７とは確実に安定した状態での接合が得られないことが想定される。
【００２７】
そこで、この実施の形態２においては、図７および図８に示すように、電流端子５の当接面がベース側固定端子７の当接面より大きく形成した場合を示している。
【００２８】
すなわち、この実施の形態２によれば、例えば、電流端子５の当接面幅ａとベース側固定端子７の当接面幅ｂとの関係をａ＞ｂとしたことにより、電流端子５の当接面幅ａに多少のバラツキがあったり、電流端子５が多少幅方向に移動したとしても、電流端子５とベース側固定端子７とを確実に安定した状態で接合させることができ、上述した実施の形態１よりもさらに信頼性の高い電力量計を得ることができる。
【００２９】
なお、上記実施の形態２では、電流端子５の当接面幅ａとベース側固定端子７の当接面幅ｂとの関係をａ＞ｂとしたが、図９および図１０に示すように、電流端子５の当接面幅ａとベース側固定端子７の当接面幅ｂとの関係をａ＜ｂとしても良い。
【００３０】
すなわち、電流端子５の当接面幅ａとベース側固定端子７の当接面幅ｂとの関係をａ＜ｂとしたことにより、電流端子５の当接面幅ａに多少のバラツキがあったり、電流端子５が多少幅方向に移動したとしても、電流端子５とベース側固定端子７とを確実に安定した状態で接合させることができ、上述した実施の形態２と同様の効果を奏する。
【産業上の利用可能性】
【００３１】
この発明は、簡単な構成で電流端子およびベース側固定端子の安定した接合状態とすることができる電力量計の実現に好適である。
【符号の説明】
【００３２】
１  計器ベース
２  電力量計測ユニット
４  プラグ端子
５  電流端子
６  端子台
７  ベース側固定端子
８  端子ねじ
１８  コンセント端子
２２  凹形状部
２３  凸形状部
１００  電力量計
【図１】
0005456568.tif 000002
【図２】
0005456568.tif 000003
【図３】
0005456568.tif 000004
【図４】
0005456568.tif 000005
【図５】
0005456568.tif 000006
【図６】
0005456568.tif 000007
【図７】
0005456568.tif 000008
【図８】
0005456568.tif 000009
【図９】
0005456568.tif 000010
【図１０】
0005456568.tif 000011